(57)【特許請求の範囲】
【請求項１】
電子カメラと、通信網と接続可能な通信接続機器とを備える情報送信システムにおいて、
前記電子カメラは、
通信機器に送信するための送信情報を記録する送信情報記録手段と、
前記送信先アドレスの取得元の通信接続機器から、該通信接続機器に固有のデバイスアドレスを取得するデバイスアドレス取得手段と、
前記デバイスアドレスにより前記通信接続機器を自動で特定し、近距離の無線通信による通信接続を自動で実施する第１の近距離用通信接続手段と、
前記通信接続機器との間で実施される近距離の無線通信による通信接続を通して、前記通信接続機器の送信先アドレス送信手段から、前記送信情報を送信する送信先の通信機器の送信先アドレスを取得する送信先アドレス取得手段と、
前記送信情報記録手段から前記送信情報を読み出し、前記送信先アドレスを用いて前記送信情報を添付した送信情報添付電子メールを作成する電子メール作成手段と、
前記送信情報添付電子メールを前記第１の近距離用通信接続手段を介して前記通信接続機器に送信する送信手段とを備え、
前記通信接続機器は、
前記送信先アドレスを記録する送信先アドレス記録手段と、
前記電子カメラの第１の近距離用通信接続手段との間で近距離の無線通信による通信接続を実施する第２の近距離用通信接続手段と、
前記送信先アドレス記録手段に記録された送信先アドレスの中から所望の送信先アドレスの指定を受け付けて、前記指定された送信先アドレスを前記第２の近距離用通信接続手段を介して前記電子カメラの送信先アドレス取得手段に送信する送信先アドレス送信手段と、
前記通信網に接続可能な通信接続手段であって、前記第２の近距離用通信接続手段を介して前記電子カメラの送信手段から受信した送信情報添付電子メールを、前記通信網を介して前記送信先の通信機器に送信する通信接続手段と、
を備えることを特徴とする情報送信システム。
【請求項２】
前記電子カメラは、
前記通信接続機器を経由して前記通信機器との間で通信接続を実施可能かどうかを示す情報を含むサービスリストを、前記通信接続機器との間で実施される近距離の無線通信による通信接続を通して該通信接続機器から取得するサービスリスト取得手段と、
前記通信接続が実施可能である旨の情報が前記サービスリストに含まれているかどうかを判断する判断手段とを更に備え、
前記第１の近距離用通信接続手段は、前記通信接続が実施可能である旨の情報が前記サービスリストに含まれている場合に、前記通信接続機器の第２の近距離用通信接続手段との間で近距離の無線通信を実施し、
前記送信手段は、前記第１の近距離用通信接続手段を介して前記送信情報添付電子メールを前記通信接続機器に送信し、
前記通信接続手段は、前記送信情報添付電子メールを前記通信機器に送信することを特徴とする請求項１記載の情報送信システム。
【請求項３】
前記電子カメラは、前記通信網へのダイヤルアップ発呼指令を前記通信接続機器に送信するダイヤルアップ指令手段を更に備え、
前記通信接続機器の通信接続手段は、前記ダイヤルアップ発呼指令に応じて、前記通信網との間でダイヤルアップ接続を確立し、前記通信網を介して前記送信情報添付電子メールを前記送信先の通信機器に送信することを特徴とする請求項１又は２記載の情報送信システム。
【発明の詳細な説明】
【０００１】
【発明の属する技術分野】
本発明は、情報送信装置に係り、特に通信接続機器を経由して電子メールや画像、音声、プログラム等の送信情報を送信する情報送信装置に関する。
【０００２】
【従来の技術】
デジタルスチルカメラと携帯端末とを同時に携帯する場合、特に、デジタルスチルカメラで撮影した映像を伝送する場合に、各装置をそれぞれ別個に操作する煩わしさを軽減することができる電子映像装置、携帯端末及び携帯端末システムが、特開平１０−３４１３０２号の公報に示されている。
【０００３】
当該携帯端末システムでは、デジタルカメラにおいては、所定の操作を行うと、制御コードがＩｒＤＡ制御部又はＲＳ−２３２Ｃ制御部からＰＨＳ端末側に送信されて、発信操作や画像データの送信操作等を行うことができる。そして、ＰＨＳ端末の動作状態や回線接続状態を示すステータスコードがデジタルカメラ側に送信される。デジタルカメラでは、このステータスコードに従い所定の表示を行っている。
【０００４】
また、相互通信での名詞交換により登録したオーナー情報の読み出しに際し、該オーナー情報に記述された人とどのように会ったのか容易に知ることが可能な通信データ管理装置等が、特開２０００−１１２８９９号の公報に示されている。
【０００５】
当該通信データ管理装置では、外部から送信されてくる名前、電話番号等の個人情報を受信する受信手段と、スケジュール時刻及びスケジュール内容からなるスケジュールデータを複数記憶するスケジュール記憶手段と、前記受信手段により受信された個人情報を記憶する個人情報記憶手段と、この個人情報記憶手段に記憶された個人情報の受信時刻に対応するスケジュールデータが前記スケジュールを記憶手段に記憶されている場合には、当該スケジュールデータの少なくともスケジュール内容を前記個人情報記憶手段に記憶された個人情報に対応付けて記憶する記憶制御手段とを備えている。
【０００６】
【発明が解決しようとする課題】
特開平１０−３４１３０２号の公報に示されている携帯端末システム等では、デジタルカメラから携帯電話を制御して、画像を携帯電話回線を通じて送信することが可能となっており、デジタルカメラ上にダイヤルアップを行う電話番号を入力するための手段、もしくはデジタルカメラにもともと電話番号を記憶させておいてこれを利用者が選択する手段を設けている。しかしながら、一般にデジタルカメラは携帯電話と比較して、通信関連の情報を入力するボタンや処理プログラム等のユーザーインターフェースが貧弱で少ないため、通信関連の情報を入力しづらいという不具合を生じている。したがって、この通信に関する電話番号の入力や、電話番号の記録と選択等の機能をデジタルカメラ側に持たせても、その機能の操作性が悪化し、たいへん利用しにくい機能となってしまい、実際には殆ど利用されない機能となってしまうという不具合を生じていた。
【０００７】
また、前記の通信関連の入力に関する機能を、携行性が要求されるデジタルカメラに搭載すると、専用部品の増加や処理プログラムの追加等を行わねばならず、通信に関する機能の実装負荷が増大して、デジタルカメラの価格が高価になるとともに、デジタルカメラが大型になり携行性が悪化するという不具合を生ずる。
【０００８】
更に、利用者がデジタルカメラとともに携行する携帯電話には、電話番号やメールアドレス等のアドレス帳が標準で備わっているにも関わらず、同様なアドレス帳をデジタルカメラでも管理しなければならないとうことは、アドレス帳のマスターが複数存在することになり、利用者に対して本来不要な煩雑なアドレス帳の管理を要求するものとなる。
【０００９】
一方、特開２０００−１１２８９９号の公報に示されている通信データ管理装置等は、ｅ−ｍａｉｌアドレスやＵＲＬ等が記載された電子名刺を他の通信機器と交換可能な端末機器である。したがって、当該通信データ管理装置の機能を携帯電話に搭載して、上記の特開平１０−３４１３０２号の携帯端末システムを構成することによって、デジタルカメラでは携帯電話から受信した電子名刺からｅ−ｍａｉｌアドレスを抽出して、画像をそのｅ−ｍａｉｌアドレスに送信したり、携帯電話から受信した電子名刺からＵＲＬを抽出してＨＴＴＰのデフォルトのＵＲＬとして設定することが可能となる。
【００１０】
例えばこのように構成されたデジタルカメラと携帯電話の携帯端末システムにおいて、デジタルカメラが携帯電話と通信ケーブルを介して１対１で通信接続されている場合には、デジタルカメラは携帯電話以外の通信機器とは接続されていないので、携帯電話からデジタルカメラへの電子名刺の送信や、デジタルカメラから携帯電話へのダイヤルアップ接続を実施するにあたって、利用者が通信機器（上記の場合には、携帯電話又は電子カメラ）を選択する操作、又は通信機器を特定する操作は不要である。
【００１１】
ところが、無線通信のような、今後更に発展してゆくと思われるネットワーク型の通信インターフェースを用いて、電子名刺の送受信やダイヤルアップ接続を実施する場合には、利用者は先ずデジタルカメラ又は携帯電話を操作して、通信ネットワーク上に存在する通信接続可能な複数の通信機器の中から、実際に通信を実施する通信相手の通信機器を特定する操作を実施する必要がある。そして、利用者がこのように通信相手の通信機器を特定してから、次に携帯電話からデジタルカメラへの電子名刺の送信や、デジタルカメラから携帯電話へのダイヤルアップ接続を指定するという、２段階の操作が必要となる。
【００１２】
特に、多くの通信機器がネットワーク上に存在する場合には、通信相手の通信機器を正しく素早く選択したり特定したりする操作は、利用者にとって困難となる。この通信相手を選択したり特定する操作は、通信接続に関して知識のある利用者にとってさえもたいへん手間のかかる操作である。したがって、一般の利用者に、デジタルカメラから携帯電話を介して他の通信機器に画像を送信する機能を利用してもらう場合には、このような通信相手を特定する操作を自動化して、利用者による操作を軽減する必要がある。
【００１３】
本発明は、このような事情に鑑みてなされたもので、電子名刺の発信元となる携帯電話とダイヤルアップ接続等で使用する携帯電話とは通常同一であることを利用して、電子カメラ等の情報送信装置から携帯電話等の通信接続機器を特定する操作を自動化することによって、情報送信に際しての利用者による操作を軽減することが可能な情報送信装置を提供することを目的としている。
【００１４】
【課題を解決するための手段】
本発明は前記目的を達成するために、携帯電話、ＰＤＡ、パソコン、モデムアダプタ等の通信接続機器を介してインターネットと接続されている通信機器にダイヤルアップ接続を行って電子メールと画像の添付ファイルとを送信する情報送信装置において、前記通信接続機器と情報の送受信を実施する送受信手段と、前記通信接続機器から前記電子メール等の送信先となる前記通信機器のダイヤルアップ接続用電話番号と前記通信接続機器の固有のデバイスアドレスとを前記送受信手段を介して受信する接続先受信手段と、前記接続先受信手段が受信した電話番号とデバイスアドレスとを記録する接続先記録手段と、前記電子メールと画像の添付ファイルを記録する送信情報記録手段と、前記接続先記録手段に記録されている電話番号とデバイスアドレスとを読み出して前記送受信手段を介して該デバイスアドレスの通信接続機器と自動で通信接続を実施するとともに、該デバイスアドレスの通信接続機器を経由して前記電話番号の通信機器に電話をかけてダイヤルアップ接続を実施する通信接続手段と、前記送信情報記録手段に記録されている電子メールと画像の添付ファイルを読み出して該電子メールと画像の添付ファイルを前記送受信手段を介して前記通信機器に対して送信する送信情報送信手段とを備えたことを特徴としている。
【００１５】
本発明によれば、携帯電話、ＰＤＡ、パソコン、モデムアダプタ等の通信接続機器を介してインターネットと接続されている通信機器にダイヤルアップ接続を行って電子メールと画像の添付ファイルとを送信する情報送信装置において、通信接続機器から前記電子メール等の送信先となる通信機器のダイヤルアップ接続用電話番号と通信接続機器の固有のデバイスアドレスとを送受信手段を介して受信し、送受信手段を介して該デバイスアドレスの通信接続機器と自動で通信接続を実施するとともに該通信接続機器を経由して前記電話番号の通信機器に電話をかけてダイヤルアップ接続を実施し、電子メールと画像の添付ファイルを記録手段から読み出して送受信手段を介して通信機器に対して送信するようにしたので、通信相手となる通信接続機器を特定する操作を自動化して、利用者による操作を軽減することが可能となる。
【００１６】
本発明は前記目的を達成するために、携帯電話、ＰＤＡ、パソコン、モデムアダプタ等の通信接続機器を介してインターネットと接続されている通信機器にダイヤルアップ接続を行って電子メールと画像の添付ファイルとを送信する情報送信装置において、前記通信接続機器と情報の送受信を実施する送受信手段と、前記通信接続機器から前記通信接続機器の固有のデバイスアドレスを前記送受信手段を介して受信する接続先受信手段と、前記接続先受信手段が受信したデバイスアドレスを記録する接続先記録手段と、電子メール等の送信先となる前記通信機器のダイヤルアップ接続用電話番号を記録する電話番号記録手段と、前記電子メールと画像の添付ファイルを記録する送信情報記録手段と、前記電話番号記録手段に記録されている電話番号と前記接続先記録手段に記録されているデバイスアドレスとを読み出して前記送受信手段を介して該デバイスアドレスの通信接続機器と自動で通信接続を実施するとともに、該デバイスアドレスの通信接続機器を経由して前記電話番号の通信機器に電話をかけてダイヤルアップ接続を実施する通信接続手段と、前記送信情報記録手段に記録されている電子メールと画像の添付ファイルを読み出して該電子メールと画像の添付ファイルを前記送受信手段を介して前記通信機器に対して送信する送信情報送信手段とを備えたことを特徴としている。
【００１７】
本発明によれば、携帯電話、ＰＤＡ、パソコン、モデムアダプタ等の通信接続機器を介してインターネットと接続されている通信機器にダイヤルアップ接続を行って電子メールと画像の添付ファイルとを送信する情報送信装置において、通信接続機器から通信接続機器の固有のデバイスアドレスを送受信手段を介して受信し、送受信手段を介して該デバイスアドレスの通信接続機器と自動で通信接続を実施するとともに該通信接続機器を経由して当該情報送信装置の電話番号記録手段に記録されている電子メール等の送信先となる通信機器のダイヤルアップ接続用電話番号に電話をかけてダイヤルアップ接続を実施し、電子メールと画像の添付ファイルを記録手段から読み出して送受信手段を介して通信機器に対して送信するようにしたので、通信相手となる通信接続機器を特定する操作を自動化して、利用者による操作を軽減することが可能となる。
【００１８】
また本発明は前記目的を達成するために、前記接続先記録手段に記録されているデバイスアドレスを読み出して、電子メール送信に際して該デバイスアドレスの通信接続機器を介してダイヤルアップ接続が可能か否かを判断する情報を含むサービスリストを、前記デバイスアドレスの通信接続機器から前記送受信手段を介して受信するサービスリスト受信手段と、前記サービスリスト受信手段が受信したサービスリストにダイヤルアップ接続が可能である旨の情報が含まれているか否かを判断する判断手段とを備え、前記判断手段がサービスリストにダイヤルアップ接続が可能である旨の情報が含まれていると判断した場合には、前記通信接続手段は、前記接続先記録手段に記録されている電話番号とデバイスアドレスとを読み出して、前記送受信手段を介して該デバイスアドレスの通信接続機器と自動で通信接続を実施するとともに、該デバイスアドレスの通信機器を経由して前記電話番号の通信機器に電話をかけてダイヤルアップ接続を実施することを特徴としている。
【００１９】
本発明によれば、電子メール送信に際して、ダイヤルアップ接続が可能か否かを判断する情報を含むサービスリストを、前記デバイスアドレスの通信接続機器から送受信手段を介して受信し、該サービスリストにダイヤルアップ接続が可能である旨の情報が含まれている場合には、送受信手段を介して該デバイスアドレスの通信接続機器と自動で通信接続を実施するとともに、該デバイスアドレスの通信接続機器を経由して前記電話番号の通信機器に電話をかけてダイヤルアップ接続を実施するようにしたので、通信相手となる通信接続機器を特定する操作を自動化して、利用者による操作を軽減することが可能となる。
【００２０】
また本発明は前記目的を達成するために、携帯電話、ＰＤＡ、パソコン、モデムアダプタ等の通信接続機器を介して、インターネット等の通信網と接続されている通信機器に電子メールや画像、音声、プログラム等の送信情報を送信する情報送信装置において、前記通信接続機器と情報の送受信を実施する送受信手段と、前記通信接続機器から、前記電子メール等の送信情報の送信先となる前記通信機器の宛先情報と、前記通信接続機器の固有のデバイスアドレスとを前記送受信手段を介して受信する接続先受信手段と、前記接続先受信手段が受信した宛先情報とデバイスアドレスとを記録する接続先記録手段と、前記送信情報を記録する送信情報記録手段と、前記接続先記録手段に記録されている宛先情報とデバイスアドレスとを読み出して、前記送受信手段を介して該デバイスアドレスの通信接続機器と自動で通信接続を実施するとともに、該デバイスアドレスの通信接続機器を経由して前記宛先情報の通信機器に対して通信接続を実施する通信接続手段と、前記送信情報記録手段に記録されている送信情報を読み出して、前記送信情報を前記送受信手段を介して前記通信接続を実施した通信機器に対して送信する送信情報送信手段とを備えたことを特徴としている。
【００２１】
本発明によれば、携帯電話、ＰＤＡ、パソコン、モデムアダプタ等の通信接続機器を介してインターネット等の通信網と接続されている通信機器に電子メールや画像、音声、プログラム等の送信情報を送信する情報送信装置において、通信接続機器から前記電子メール等の送信情報の送信先となる通信機器の宛先情報と通信接続機器の固有のデバイスアドレスとを送受信手段を介して受信し、送受信手段を介して該デバイスアドレスの通信接続機器と自動で通信接続を実施するとともに該通信接続機器を経由して前記宛先情報の通信機器に対して通信接続を実施し、送信情報を記録手段から読み出して、送受信手段を介して通信機器に対して送信するようにしたので、通信相手となる通信接続機器を特定する操作を自動化して、利用者による操作を軽減することが可能となる。
【００２２】
【発明の実施の形態】
以下添付図面に従って、本発明に係る情報送信装置の好ましい実施の形態について詳説する。
【００２３】
図１は、本発明に係る電子カメラを用いた情報送信システムの全体構成図である。
【００２４】
同図に示すように情報送信システムには、撮像した被写体像等の画像を携帯電話４０（通信接続機器）を介して所定の電話番号又は宛先情報（ｅ−ｍａｉｌアドレス、ＵＲＬ、ＤＮＳ等を含む）を有する通信機器（サーバ９０、パソコン８０等）に送信することが可能な利用者の電子カメラ１０と、携帯電話用基地局４２と通信を行って携帯電話回線４４に対して接続することが可能な携帯電話４０と、インターネット等の通信網４８と通信接続可能であるとともに、携帯電話回線４４と接続可能なプロバイダ等のアクセスポイントのサーバ９０と、他の利用者のパソコン８０とが設けられている。
【００２５】
本実施例では、利用者が電子カメラ１０と携帯電話４０とを携行しており、電子カメラ１０にて撮像した画像を、携帯電話４０（又はＰＤＡ、パソコン、モデムアダプタ等の通信接続機器）基地局４２、携帯電話回線４４等を介してダイヤルアップアクセスポイントのサーバ９０（通信機器）、又はインターネットと接続されているサーバ９０（通信機器）にダイヤルアップ接続を行って電子メールと画像の添付ファイル等の送信情報を送信することが可能となっている。また、サーバ９０に送信した画像を、通信網４８を介して他の利用者のパソコン８０（通信機器）に送信することが可能となっている。
【００２６】
また、電子カメラ１０が携帯電話４０を介してサーバ９０（通信機器）にダイヤルアップ接続する代わりに、電子カメラ１０が携帯電話４０等の通信接続機器を介して直接インターネット等の通信網４８に接続可能なように構成して、電子カメラ１０がサーバ９０又はパソコン８０等の通信機器に対して、電子メールと画像の添付ファイル等の送信情報を送信することが可能なように構成してもよい。
【００２７】
画像の送信先アドレス（電話番号又は宛先情報）は、携帯電話４０が保有するアドレス帳に記録されている複数のアドレスの中から、利用者が所望のアドレスを選択することによって決定する。携帯電話４０は、利用者によって選択されたアドレスをアドレス帳から抽出して、電子カメラ１０に送信する。本発明では、このとき電子カメラ１０がアドレスを送信してきた携帯電話４０固有のデバイスアドレスを記憶しておく。
【００２８】
次に電子カメラ１０は、携帯電話４０から送られてきたアドレスから、画像添付メールの送信先（電話番号又は宛先情報）を設定すると同時に、ダイヤルアップに使用する通信接続機器として、先程記憶しておいたデバイスアドレスの携帯電話４０を自動で指定して、携帯電話４０を介してサーバ９０に対してダイヤルアップ接続を実施することが可能となっている。
【００２９】
図２は、本発明に係る情報送信装置の一形態である電子カメラの外観斜視図である。
【００３０】
同図によれば、電子カメラ１０には、被写体像を撮像手段に結像させるレンズ鏡胴１００と、電子カメラ１０の機能の起動及び停止を指示する電源スイッチ１０５と、利用者が撮像及び音声等の記録を指示するレリーズボタン１０６と、電子カメラ１０に備えられている各種のモードを切り替えて設定するモード切替ダイヤル１０７とが設けられている。
【００３１】
また、電子カメラ１０には、表示手段１６８に表示されている項目から所望の項目をキャンセルする際等に操作する取消ボタン１０９と、表示手段１６８に表示されている項目から所望の項目を指定する際等に操作する実行ボタン１１０と、表示手段１６８に各種の設定メニュー等を表示する指示を入力するメニューボタン１１１と、表示手段１６８に表示されているカーソルを移動する際等に操作する十字ボタン１１３とが設けられている。
【００３２】
また、電子カメラ１０には、無線通信によって外部の通信機器と送受信する場合に搬送波及びデータを送受信するアンテナ１５６と、有線の通信を行う際の通信ポートとなるＵＳＢ（Universal Serial Busの通信規格に基づいた通信手段）等の通信コネクタ１６２と、撮像した画像や電子カメラ１０の処理及び操作に関する情報を表示する表示手段１６８と、表示用の画像信号を外部の機器に出力する出力ポートである画像信号コネクタ１７３と、画像及び音声等の情報を記録する挿抜可能な記録媒体１７７とが設けられている。
【００３３】
図３は、モード切替ダイヤル１０７に設けられている各種設定モードの表示を示す図である。
【００３４】
同図によれば、モード切替ダイヤル１０７には、近傍に存在する他の通信接続機器（携帯電話４０等）と無線通信による通信を実施するとともにインターネット等の通信網４８と通信接続可能な通信モード（図３には、Ｗｉｒｅｌｅｓｓと記載）と、撮影を実施する撮影モード（図３には、Ｃａｍと記載）と、動画の撮影を実施する動画撮影モード（図３には、Ｍｏｖと記載）と、記録されている画像又は音声の再生を実施する再生モード（図３には、Ｐｌａｙと記載）と、日付、撮影モード、撮影画素数、電源のオートオフ時間の設定、警告音の音量等を設定するセットアップモードとが記載されており、利用者がモード切替ダイヤル１０７を切り替えることによって電子カメラ１０の処理モードを所定のモードに設定することが可能となっている。
【００３５】
図４は、電子カメラの信号処理系ブロック図である。
【００３６】
電子カメラ１０の撮像処理部には、受光面に結像した被写体像を光電変換して画像信号として出力する撮像手段１５０と、アナログ信号用の画像処理手段１５３と、アナログの画像信号をデジタルの画像データに変換するＡ／Ｄ変換器１５４とが設けられている。
【００３７】
また、画像データ等の情報を携帯電話４０等の他の通信接続機器と送受信するための通信手段として、宛先情報や画像データ等の各種情報を搬送波に乗せて送信又は受信する送受信手段１５７と、画像データ等の情報をケーブル等を接続して他の通信接続機器に伝達する通信コネクタ１６２とが設けられている。
【００３８】
また、電子カメラ１０には、画像データに対して圧縮処理等を実施する圧縮伸張手段１６７と、各種の文字を画像とともに表示手段１６８にオンスクリーンディスプレイするＯＳＤ１６９と、画像データに対してホワイトバランス処理を実施したり、ガンマ変換、ＹＣ変換処理、画素数の変換処理、電子ズーム処理、トリミング処理等を実施する信号処理手段１７０と、表示用の画像データを一時的に記憶しておくフレームメモリ１７１と、デジタルの画像データを表示用のコンポジット信号等に変換するＤ／Ａ変換器１７２とが設けられている。
【００３９】
また、電子カメラ１０には、電源スイッチやレリーズボタン等から構成される入力手段１７４と、入力手段１７４を介して入力された入力情報のインターフェースとなるＩ／Ｏ１７５と、記録媒体１７７を着脱可能に装着する記録媒体装着部１７８と、記録媒体１７７に対して画像データ等の情報を記録したり読み出したりする記録媒体インターフェース１７９とが設けられている。
【００４０】
また、電子カメラ１０には、電子カメラ１０全体の制御を行うとともに画像処理や通信処理等の各種の情報処理を実施する情報処理手段１８０と、情報の書き換えが可能であるとともに調整用の各種定数や電子カメラ１０の動作プログラム等を記憶する記録手段である不揮発性メモリ１８２と、プログラム実行時の作業領域となる記録手段のＲＡＭ１８４とが設けられている。
【００４１】
なお、前記不揮発性メモリ１８２、ＲＡＭ１８４、記録媒体１７７等の記録手段に、通信網４８等に接続されている通信機器と通信接続する際のダイヤルアップ電話番号、電話帳、属性情報、ＵＲＬ（Uniform Resource Locators ）、ＩＰ（Internet Protocol ）アドレス、ゲートウェイ情報ＤＮＳ（Domain Name System）等の接続情報、ＳＭＴＰ（Simple Mail Transfer Protocol ）設定や、パケット通信に必要な各種の通信ドライバ等を記録しておいてもよい。
【００４２】
また、電子カメラ１０には、時を刻むカレンダ時計１９０と、各種のタイムアウト等を監視するタイマ１９０Ａと、電子カメラ１０を駆動するための各種電力を供給する電源１９１と、電子カメラ１０の動作電力を供給する電池１９１Ａと、撮像時に光を発光して被写体の光量不足を補う発光手段１９３と、該発光手段１９３の発光量や発光タイミング等の調節を行う発光制御手段１９４とが設けられている。
【００４３】
また、図４には図示していないが、情報処理手段１８０の指示に基づいて利用者に対して音声やビープ音を発して通知するＤ／Ａ変換器及びスピーカと、電子カメラ１０の周囲の音声を集音するマイク１９７及び集音した音声データを情報処理手段に伝達するＡ／Ｄ変換器とを設けることによって、音声の記録と音声の再生とを当該電子カメラ１０にて実施可能となるように構成してもよい。
【００４４】
同図に示すように電子カメラ１０の情報処理手段１８０とその周辺の各回路はバス１９９で接続されており、互いに情報の伝達を高速で行うことが可能であるとともに、情報処理手段１８０が実行する処理プログラムに基づいて周辺の各回路を制御することが可能となっている。
【００４５】
上記のとおり構成された電子カメラ１０の撮像処理について説明する。
【００４６】
撮像する像は撮像レンズによって撮像手段１５０の受光面に結像され、結像した被写体像は光電変換されて画像処理手段１５３に出力される。画像処理手段１５３では、この画像信号に対して相関二重サンプリングや増幅、ノイズの低減処理等の画像処理を実施して、次のＡ／Ｄ変換器１５４にてデジタルデータに変換する。
【００４７】
該デジタルデータに変換した画像データは情報処理手段１８０の指令により信号処理手段１７０に転送され、画像のホワイトバランスやガンマ補正、ＹＣ変換、ズーム処理、画素数変換処理等の画像処理が施された後に、一時期ＶＲＡＭ等のフレームメモリ１７１に記憶される。
【００４８】
情報処理手段１８０は、フレームメモリ１７１に記憶されている画像データを逐次Ｄ／Ａ変換器１７２に伝達する指示を行い、ＯＳＤ１６９から発生されるキャラクタ等の情報とともに表示手段１６８に表示している。
【００４９】
利用者が、入力手段１７４に設けられている撮像指示のためのレリーズボタンを押すと、情報処理手段１８０は被写体を撮像するモードに入る。すると情報処理手段１８０はＡ／Ｄ変換器１５４にてデジタルデータに変換された画像データを、ＲＡＭ１８４に記録する。
【００５０】
画像を記録媒体１７７に記録する場合には、前記ＲＡＭ１８４に記憶されている画像を逐次読み出して信号処理手段１７０に転送して、画像のホワイトバランスやガンマ補正、ＹＣ変換、ズーム処理、画素数変換処理等の画像処理を施して各色の階調変換、画像サイズの変換処理等を実施した後に、圧縮伸張手段１６７に転送する。
【００５１】
圧縮伸張手段１６７にて所定の条件で圧縮処理が実施された画像データは、情報処理手段１８０の指示に基づいて再び一時期ＲＡＭ１８４のＦＩＬＥ用ワーク領域に一時記憶され、その後に記録用の画像データに変換された後に記録媒体インターフェース１７９に対して出力されて順次記録媒体１７７に記録される。
【００５２】
情報処理手段１８０（接続先受信手段）は、携帯電話４０等の通信接続機器から電子メール等の送信先となるサーバ９０又はパソコン８０等の通信機器のダイヤルアップ接続用電話番号と通信接続機器の固有のデバイスアドレスとを送受信手段１５７を介して受信することが可能となっている。
【００５３】
また、情報処理手段１８０（接続先受信手段）は、携帯電話４０等の通信接続機器から、電子メール等の送信情報の送信先となるサーバ９０又はパソコン８０等の通信機器の宛先情報を送受信手段１５７を介して受信することが可能となっている。
【００５４】
不揮発性メモリ１８２又はＲＡＭ１８４等の記録手段（接続先記録手段）は、情報処理手段１８０（接続先受信手段）が受信したデバイスアドレスと、電話番号又は宛先情報とを記録することが可能となっている。
【００５５】
また不揮発性メモリ１８２、ＲＡＭ１８４又は記録媒体１７７等の記録手段（電話番号記録手段）には、予めダイヤルアップ接続用電話番号を記録しておいてもよい。
【００５６】
また、不揮発性メモリ１８２又はＲＡＭ１８４等の記録手段（送信情報記録手段）は、電子メールと画像の添付ファイル、又は電子メール本体、画像、音声、プログラム等の送信情報を記録することが可能となっている。
【００５７】
また情報処理手段１８０（サービスリスト受信手段）は、不揮発性メモリ１８２又はＲＡＭ１８４等の記録手段（接続先記録手段）に記録されているデバイスアドレスを読み出して、電子メール送信に際して該デバイスアドレスの携帯電話４０等の通信接続機器を介してダイヤルアップ接続が可能か否かを判断する情報を含むサービスリストを、前記デバイスアドレスの携帯電話４０等の通信接続機器から送受信手段１５７を介して受信することが可能となっている。
【００５８】
また、情報処理手段１８０（判断手段）は、サービスリスト受信手段（情報処理手段１８０）が受信したサービスリストにダイヤルアップ接続が可能である旨の情報が含まれているか否かを判断することが可能となっている。
【００５９】
また、情報処理手段１８０（通信接続手段）は、不揮発性メモリ１８２、ＲＡＭ１８４又は記録媒体１７７等の記録手段（接続先記録手段、電話番号記録手段）に記録されている電話番号とデバイスアドレスとを読み出して送受信手段１５７を介して該デバイスアドレスの携帯電話４０（通信接続機器）と自動で通信接続を実施するとともに、該デバイスアドレスの携帯電話４０（通信接続機器）を経由して前記電話番号のサーバ９０又はパソコン８０等の通信機器に電話をかけてダイヤルアップ接続を実施することが可能となっている。
【００６０】
また、判断手段（情報処理手段１８０）がサービスリストにダイヤルアップ接続が可能である旨の情報が含まれていると判断した場合には、情報処理手段１８０（通信接続手段）は、不揮発性メモリ１８２、ＲＡＭ１８４又は記録媒体１７７等の記録手段（接続先記録手段、電話番号記録手段）に記録されている電話番号とデバイスアドレスとを読み出して、送受信手段１５７を介して該デバイスアドレスの携帯電話４０等の通信接続機器と自動で通信接続を実施するとともに、該デバイスアドレスの携帯電話４０等の通信機器を経由して前記電話番号のサーバ９０又はパソコン８０等の通信機器に電話をかけてダイヤルアップ接続を実施することが可能となっている。
【００６１】
また、情報処理手段１８０（通信接続手段）は、不揮発性メモリ１８２又はＲＡＭ１８４等の記録手段（接続先記録手段）に記録されている宛先情報とデバイスアドレスとを読み出して、送受信手段１５７を介して該デバイスアドレスの携帯電話４０（通信接続機器）と自動で通信接続を実施するとともに、該デバイスアドレスの携帯電話４０（通信接続機器）を経由して、前記宛先情報のサーバ９０又はパソコン８０等の通信機器に対して通信接続を実施することが可能となっている。
【００６２】
また、情報処理手段１８０（送信情報送信手段）は、不揮発性メモリ１８２又はＲＡＭ１８４等の記録手段（送信情報記録手段）に記録されている電子メールと画像の添付ファイルを読み出して、該電子メールと画像の添付ファイルを送受信手段１５７を介してサーバ９０又はパソコン８０等の通信機器に対して送信することが可能となっている。
【００６３】
また、情報処理手段１８０（送信情報送信手段）は、不揮発性メモリ１８２又はＲＡＭ１８４等の記録手段（送信情報記録手段）に記録されている送信情報を読み出して、該送信情報を送受信手段１５７を介して、通信接続を実施したサーバ９０又はパソコン８０等の通信機器に対して送信することが可能となっている。
【００６４】
なお、上記の説明では情報送信装置を撮像手段を備えた電子カメラとした実施の形態で説明したが、本発明はこれに限定されるものではなく、近距離の無線通信手段（無線ＬＡＮ、Ｂｌｕｅｔｏｏｔｈの通信規格に基づいた無線通信等）を経由してサーバ９０等と情報の送受信を実施することが可能な情報送信装置であれば、パソコンやＰＤＡ、ゲーム機、プリンタその他の情報送信装置であっても本発明の目的を達成することが可能である。
【００６５】
図５に、携帯電話４０の外観図を示す。
【００６６】
同図に示すように携帯電話４０（通信接続機器）には、携帯電話回線４４又は公衆回線と無線通信するためのアンテナ４５２と、近距離に存在する電子カメラ１０や利用者のパソコン等の情報送信装置と情報の送受信を実施するためのアンテナ４５６と、名刺情報やダイヤルアップ情報、スケジュール等の各種情報を表示する表示手段４６８と、名刺情報の選択、ダイヤルアップ情報の選択、電話番号、文字、スケジュール等の個人情報の入力、指定及び選択を行う入力手段４７４、４７４…と、電話の受話器となるとともに音声を出力するスピーカ４９５と、音声を入力するマイク４９７とが設けられている。
【００６７】
図６は、携帯電話４０の信号処理系のブロック図である。
【００６８】
同図によれば、携帯電話４０の情報送受信部には、携帯電話回線４４又は公衆回線と無線通信するためのアンテナ４５２、携帯電話回線用の送受信手段４５３及びリアルタイムにて送受信する情報を一時的に記憶する送受信バッファ４５４と、近距離用無線通信手段として用いるアンテナ４５６、送受信手段４５７及び送受信バッファ４５８とが設けられている。
【００６９】
携帯電話４０には、最寄りの基地局４２を介して携帯電話回線４４と通信を接続すると同時に、電子カメラ１０等と近距離用無線通信通信手段を介して情報の送受信を実施することが可能となっている。更に、電子カメラ１０から携帯電話４０、基地局４２、携帯電話回線４４を介して直接サーバ９０にダイヤルアップ接続を行って、インターネット等の通信網４８に対して直接アクセスすることが可能となっている。この場合に携帯電話４０は、電子カメラ１０とサーバ９０との間においてモデムに相当する機能を実行してもよい。また、電子カメラ１０が携帯電話４０を送信先に指定した電子メール及び画像に対して、サーバ９０又は通信網４８上のパソコン８０を送信先として転送する処理を実施して、携帯電話回線４４に出力するようにしてもよい。
【００７０】
また、携帯電話４０には、画像や文字等の情報を表示する表示手段４６８と、情報処理手段の指令に基づいて表示手段４６８に対して表示用の画像信号を出力する表示制御手段４６９と、利用者が入力手段４７４を介して入力した各種情報を読み取って後述する情報処理手段に伝達したり、情報処理手段からの指示に基づいてＬＥＤ等の通知手段に表示指令を出力するＩ／Ｏ４７５とが設けられている。
【００７１】
また、携帯電話４０には、記録媒体４７７を（電子カメラ１０に装着している記録媒体１７７と同種のものであってもよい）着脱可能に装着する記録媒体装着部４７８と、記録媒体４７７に対して画像データ等の情報を記録したり読み出したりする記録媒体インターフェース４７９とが設けられている。
【００７２】
また、携帯電話４０には、携帯電話４０の全体の制御を行う情報処理手段（ＣＰＵ）４８０と、携帯電話の処理に関する各種定数やネットワーク上の通信機器に通信接続する際のダイヤルアップ電話番号、他の利用者の電話帳、属性情報、ＵＲＬ（Uniform Resource Locators ）、ＩＰ（Internet Protocol ）アドレス、ゲートウェイ情報ＤＮＳ（Domain Name System）等の接続情報や名刺情報等の各種情報を記録する書き換え可能な不揮発性メモリ４８２と、情報処理手段４８０を動作させるプログラムや各種定数が記録されているＲＯＭや情報処理手段４８０が処理を実行する際の作業領域となる記憶手段であるＲＡＭとから構成されるメモリ４８４と、時刻を刻むカレンダ時計４９０と、情報処理手段４８０を含む各回路に電源を供給する電源４９１とが設けられている。
【００７３】
また、携帯電話４０には、利用者が電話器として利用する際の受話器となるとともに音声を出力するスピーカ４９５と、情報処理手段４８０等が出力する音声データをアナログの音声信号に変換するとともに増幅してスピーカ４９５に出力するＤ／Ａ変換器４９６と、音声を入力して音声信号に変換するマイク４９７と、マイク４９７から入力した音声信号を増幅するとともに情報処理手段４８０等に送出する音声データに変換するＡ／Ｄ変換器４９８とが設けられている。
【００７４】
携帯電話４０内の情報処理手段４８０と、送受信バッファ４５４、送受信バッファ４５８、表示制御手段４６９、Ｉ／Ｏ４７５、記録媒体インターフェース４７９、不揮発性メモリ４８２、メモリ４８４、カレンダ時計４９０、Ｄ／Ａ変換器４９６、Ａ／Ｄ変換器４９８等を含む各周辺回路は、バス４９９で接続されており、情報処理手段４８０は各々の周辺回路を制御するとともに高速な情報の送受信を行うことが可能となっている。したがって情報処理手段４８０は、実行する処理プログラムに基づいて各周辺回路を制御することが可能となっている。
【００７５】
近距離用の無線通信手段は、電波、超音波、赤外線等の光を搬送波に用いた通信手段である。電波を用いる場合には、無線ＬＡＮ（ローカルエリアネットワーク）等の無線通信の仕様に基づいてもよい。
【００７６】
なお、上記の説明では通信接続機器を携帯電話とした実施例で説明したが、電子カメラ１０等の情報送信装置と情報の送受信を行う通信手段、情報処理手段、サーバ９０に対する通信手段等を備えた通信機器であれば、パソコン、電子手帳、モデムアダプタ等の通信端末であってもよい。
【００７７】
また、携帯電話４０は前述した近距離用無線通信手段を介して携帯電話４０よりも更にユーザーインターフェースが充実している利用者のパソコン等と通信接続を行って、住所録情報やダイヤルアップ先の電話番号、名刺情報等を取得して、取得した情報を不揮発性メモリ４８２等の記録手段に記録するようにしてもよい。また、携帯電話４０の不揮発性メモリ４８２等の記録手段に複数のダイヤルアップ接続先の電話番号等を記録しておき、利用者が所望の接続先を選択することが可能なように構成してもよい。
【００７８】
図７に、本発明に係る情報送信装置を用いた情報送信のフローチャートを示す。
【００７９】
電子カメラ１０から携帯電話４０を介して電子メールや画像等の送信情報を通信網４８上のサーバ９０やパソコン８０に送信する場合には、利用者は先ず電子カメラ１０の処理モードを通信モードに設定する。
【００８０】
電子カメラ１０を通信モードに設定すると情報処理手段１８０は、Ｓ１００「画像メール送信機能選択」（以降Ｓ１００のように省略して記載する。）にて、表示手段１６８に対して図８に示すＷｉｒｅｌｅｓｓモードのセットアップ画面を表示する指示を表示制御手段４６９に対して出力する。
【００８１】
利用者は、表示手段１６８に表示されたＷｉｒｅｌｅｓｓモードのセットアップ画面の表示を見ながら、入力手段１７４に設けられている十字ボタン１１３を操作して「画像メール送信」にカーソルを移動して「通信モード」の項目を選択するとともに、送信する画像の「送信画素数」を選択する。なお、Ｗｉｒｅｌｅｓｓモードのセットアップ画面には、同図に示すように当該電子カメラ１０の機種情報「Ｄｉｇｉ−Ｃａｍ○○」と、そのコード「０ｘＮＮＮＮＮＮ」が併せて表示されている。
【００８２】
利用者が、Ｗｉｒｅｌｅｓｓモードのセットアップを終了して、入力手段１７４に設けられている実行ボタン１１０を操作すると、セットアップ画面にて選択されている内容が設定されて、当該電子カメラ１０にて有効となる。なお、同図に示す例では、「画像メール送信」の他にも、近傍に存在するパソコンと情報の送受信を実施する「ＰＣ接続」の通信モードが設けられている。
【００８３】
また、送信する画像の画素数を、現在記録媒体１７７等の記録手段に記録されている画像の画素数と異なる画素数にリサイズして送信したい場合には、「送信画素数」の項目にて所望の画素数を選択する。すると画像を送信する際に情報処理手段１８０等の画像処理手段は、送信する画像に対して選択された画素数に変換するためのリサイズ処理を行ってから、指定された通信機器に送信する。
【００８４】
Ｓ１００にてＷｉｒｅｌｅｓｓモードのセットアップ処理が終了すると、情報処理手段１８０が実施する処理はＳ１０２「送信画像選択（△、▽、実行）」に進み、記録媒体１７７等の記録手段に記録されている画像を読み出して画像の全画面表示又は一覧表示を行う。利用者は表示手段１６８に表示されている画像を見ながら十字ボタン１１３を操作してインクリメント又はデクリメントを指示し、送信すべく画像を選択して実行ボタン１１０を操作する。１乃至複数の画像の選択を終了すると、情報処理手段１８０が実施する処理はＳ１０４「電子名刺受信待ち」の処理に進み、携帯電話４０から送受信手段１５７を介して名刺情報を受信するのを待つ処理を行う。
【００８５】
一方、携帯電話４０側の処理として利用者は、携帯電話４０の表示手段４６８の表示（図５参照）を見ながら入力手段４７４を操作して、携帯電話４０の処理モードとして「名刺送信モード」を選択して設定する。図５に示す例では、表示手段１６８に表示されている「モード選択」の複数のモードメニューのうち、中央に存在するモードが反転表示されており、利用者が入力手段４７４に設けられている設定ボタンを押下することによって、当該反転表示されているモードが選択される。
【００８６】
利用者によって「名刺送信」のモードが選択されると、情報処理手段４８０はＳ２００「名刺送信モード」にて、携帯電話４０が実行する処理モードを「名刺送信モード」に設定する。すると情報処理手段４８０が実行する処理はＳ２０２「接続機器選択」に進み、表示手段４６８に図９に示す接続機器選択の表示を行って、利用者に対して通信接続する機器の選択を依頼する。利用者は、入力手段４７４に設けられている十字ボタンを操作してカーソルをスクロールし、所望の通信接続する機器を選択して設定ボタンを押下する。同図に示す例では接続機器として、「Ｄｉｇｉ−Ｃａｍ○○」（電子カメラ１０）を選択して設定した例を示している。
【００８７】
携帯電話４０にて接続機器が選択されると情報処理手段４８０は、不揮発性メモリ４８２等の記録手段に記録されている名刺情報を読み出して、送受信手段４５７を介して指定された電子カメラ１０に対して名刺情報を送信すべく、名刺Ｐｕｓｈのための接続要求と自己の携帯電話４０のデバイスアドレス（近距離無線通信用のデバイスアドレス）とを、電子カメラ１０のデバイスアドレスに対して送信する。なお、Ｓ２０２にて通信接続機器の選択処理を利用者に要求する代わりに、Ｓ２０２の接続機器選択処理を実行せずに、自動で電子カメラ１０に対して名刺情報を送信するようにしてもよい。
【００８８】
前記名刺Ｐｕｓｈ接続要求と携帯電話４０のデバイスアドレスとを送受信手段１５７を介して電子カメラ１０が受信すると、情報処理手段１８０が実施する処理は、Ｓ１０６「名刺送信元アドレス記憶」にて、携帯電話４０と通信を確立する処理を行うとともに、受信した携帯電話４０のデバイスアドレスを不揮発性メモリ１８２等の記録手段に記録する。情報処理手段１８０が電子カメラ１０における通信接続処理を終了すると、情報処理手段１８０は送受信手段１５７を介して携帯電話４０のデバイスアドレスに対して、「名刺Ｐｕｓｈ接続完了」を示す情報を送信する。
【００８９】
「名刺Ｐｕｓｈ接続完了」の情報を、送受信手段４５７を介して受信した携帯電話４０の情報処理手段４８０は、Ｓ２０４「名刺選択」にて、表示手段４６８に図１０に示す名刺選択用の表示を行って、利用者からの指示入力を待つ処理を行う。同図に示す表示例では、例えば「鈴木太郎」、「山田次郎」、「鈴木花子」の各氏の名刺が選択可能に表示されており、中央の「山田次郎」の氏名（表題）が反転表示されている。この状態で利用者が入力手段４７４に設けられている設定ボタンを押下すると、「山田次郎」の名刺が選択される。
【００９０】
利用者が「山田次郎」の名刺を選択すると、情報処理手段４８０はＳ２０４にて、例えば図１１に示す名刺情報を不揮発性メモリ４８２等の記録手段から読み出して、送受信手段４５７を介して電子カメラ１０に対して送信する処理（オブジェクトプッシュ）を行う。図１１に示すように、電子カメラ１０に対して送信する電子名刺には、氏名、電話番号、住所、１乃至複数の電子メール（ｅ−ｍａｉｌ）アドレス（宛先情報）、ホームページ等のＵＲＬ（宛先情報）その他の情報が含まれていてもよい。
【００９１】
また、電子カメラ１０がサーバ９０に対してダイヤルアップ接続を実施する際のダイヤルアップ接続先の電話番号（サーバ９０等に接続する場合の電話番号）を、電子名刺の情報と共に電子カメラ１０に送信するようにしてもよい。また、ダイヤルアップ接続先の電話番号は変更する頻度が少ない情報であるので、該電話番号を携帯電話４０から受信する代わりに、電子カメラ１０の不揮発性メモリ１８２や記録媒体１７７に予め記録しておくようにしてもよい。
【００９２】
携帯電話４０から名刺情報等を送受信手段１５７を介して受信した電子カメラ１０の情報処理手段１８０は、Ｓ１０８「ｅ−ｍａｉｌアドレス記憶」にて、受信した名刺情報等に含まれるｅ−ｍａｉｌアドレス等を不揮発性メモリ１８２等の記録手段に記録する処理を行う。受信した名刺情報に複数のｅ−ｍａｉｌアドレスが含まれている場合には、最も優先順位の高いｅ−ｍａｉｌアドレスを優先して使用するように不揮発性メモリ１８２又は記録媒体１７７等の記録手段に記録してもよい。このとき名刺情報に含まれる氏名、電話番号、住所、他のｅ−ｍａｉｌアドレス、ＵＲＬ、ダイヤルアップ接続先の電話番号等の他の情報を併せて記録するようにしてもよい。なお、Ｓ１０８の前後にて電子カメラ１０の表示手段１６８に、電子メールと画像の送信先のｅ−ｍａｉｌアドレス（宛先情報等）を表示して、利用者に通知するようにしてもよい。
【００９３】
ｅ−ｍａｉｌアドレス等の記録が終了すると電子カメラ１０の情報処理手段１８０は、正常に名刺情報等を受信したことを受けて、携帯電話４０に対して「名刺送信ＯＫ」を示す情報を送信する。電子カメラ１０から「名刺送信ＯＫ」の情報を受信した携帯電話４０の情報処理手段４８０は、電子カメラ１０との名刺送信処理を終了するために、送受信手段４５７を介して電子カメラ１０に対して「名刺Ｐｕｓｈ切断要求」の情報を送信する処理を行う。
【００９４】
携帯電話４０から送受信手段１５７を介して「名刺Ｐｕｓｈ切断要求」を受信した電子カメラの情報処理手段１８０は、携帯電話４０との通信を終了すべく処理を行って、送受信手段１５７を介して携帯電話４０に対して通信の切断準備完了を示す情報「名刺Ｐｕｓｈ切断完了」を送信する。前記「名刺Ｐｕｓｈ切断完了」を送受信手段４５７を介して受信した情報処理手段４８０は、電子カメラ１０との通信を遮断する処理を行う。
【００９５】
次に、携帯電話４０の表示手段４６８には図４に示した表示がなされる。利用者は入力手段４７４に設けられている十字ボタンを操作して、「ダイヤルアップ」のモードを選択する。すると携帯電話４０の処理モードはＳ２０６「ダイヤルアップモード」にて、利用者によって選択された「ダイヤルアップモード」に設定される。なお、「ダイヤルアップモード」への移行は、前述のように利用者が選択することによって移行してもよいし、「名刺送信」の処理が終了した際に情報処理手段４８０が携帯電話４０の処理モードを自動で「ダイヤルアップモード」に設定してもよい。
【００９６】
一方、電子カメラ１０が名刺情報等の受信を完了すると情報処理手段１８０は、不揮発性メモリ１８２等の記録手段に記録されている名刺を送信してきた通信接続機器のデバイスアドレスを読み出す処理を行い、その読み出したデバイスアドレスの通信接続機器（名刺の送信元アドレス）に対して、サービスリスト要求のための通信開始を希望する旨の情報（サービス取得接続要求）を送信する。
【００９７】
前記「サービス取得接続要求」の情報を受信した携帯電話４０は、サービスリスト要求のための通信を確立すべく処理を開始して、電子カメラ１０に対して「サービス取得接続完了」の情報を送信する。前記「サービス取得接続完了」の情報を携帯電話４０から受信した電子カメラ１０の情報処理手段１８０は、通信接続を開始した携帯電話４０に対して、携帯電話４０側にて提供可能なサービスリストの送信を要求する情報（サービスリスト要求）を送信する処理を行う。
【００９８】
前記「サービスリスト要求」の情報を受信した携帯電話４０の情報処理手段４８０は、当該携帯電話４０にて提供可能なサービスのリストを電子カメラ１０に対して送信する処理を行う。本実施例では、携帯電話４０にて提供可能なサービスとして、「ダイヤルアップ」、「名刺送信」、「名刺受信」その他が可能であるので、その旨の情報を含む「サービスリスト」の情報を電子カメラ１０に送信する処理を行う。
【００９９】
前記「サービスリスト」を携帯電話４０から受信した電子カメラ１０の情報処理手段１８０は、「サービスリスト」を正常に受信したことを受けて、サービス取得の通信を切断する要求情報（サービス取得切断要求）を携帯電話４０に送信する処理を行う。前記「サービス取得切断要求」を取得した携帯電話４０の情報処理手段４８０は、電子カメラ１０との通信を遮断するための処理を開始し、通信切断の準備が完了した場合には、電子カメラ１０に対して「サービス取得切断完了」の情報を送信する。
【０１００】
当該「サービス取得切断完了」の情報の送信を実施すると携帯電話４０の情報処理手段４８０は、電子カメラ１０との通信接続を遮断する処理を行う。また、「サービス取得切断完了」の情報を受信した電子カメラ１０の情報処理手段１８０は、当該サービス取得のための通信接続を遮断して、次のＳ１１０「サービスリストにダイヤルアップあり？」の判断に進む。
【０１０１】
Ｓ１１０にて情報処理手段１８０は、受信したサービスリストの中に、携帯電話４０を介してサーバ９０にダイヤルアップ接続を実施することが可能なサービスが含まれているか否かの判断を行っている。本実施例における携帯電話４０では、ダイヤルアップ接続の処理モードを備えているが、一部の携帯電話やＰＤＡ（Personal Data Assistance）のような通信接続機器の場合には、ダイヤルアップ接続のモードを備えていない場合があるので、Ｓ１１０にてダイヤルアップ接続のモードを有しているか否かの判断（ダイヤルアップ接続が可能であるか否かの判断）を行っている。
【０１０２】
Ｓ１１０にて、情報処理手段１８０が受信したサービスリストにダイヤルアップ接続のモードが含まれていないと判断した場合には、情報処理手段１８０が実施する処理はＳ１１２「ダイヤルアップ機器リスト表示」に分岐して、表示手段１６８にダイヤルアップ可能な通信接続機器を一覧表示して、利用者に選択を乞う。
【０１０３】
図１２に、表示手段１６８に表示されるダイヤルアップのための接続機器選択画面を示す。
【０１０４】
同図に示すように、電子カメラ１０の表示手段にはダイヤルアップ接続を行うための接続機器選択画面が表示されている。利用者は入力手段４７４に設けられている十字ボタンや設定ボタンを操作して、ダイヤルアップ接続を実施する際の所望の通信接続機器を選択する。同図に示す例では利用者は「携帯電話○×」を通信接続機器として選択した例を示している。
【０１０５】
「Ｍｙ  Ｎｏｔｅ  ＰＣ  □□」又は「ＰＤＡ△△△」等の通信接続機器が、サーバ９０等と通信可能であるとともに電子カメラ１０とも情報の送受信が可能な場合であって、電子カメラ１０から前記通信接続機器を介してサーバ９０等にダイヤルアップ接続等の通信接続を実施する機能を有している場合には、利用者は「Ｍｙ  Ｎｏｔｅ  ＰＣ  □□」又は「ＰＤＡ△△△」等の通信接続機器を選択してもよい。また、「新たに探索」の項目を選択すると、現在電子カメラ１０と通信可能な通信接続機器と通信接続を開始して、新たに接続可能な通信接続機器を探索する処理を行う。
【０１０６】
利用者によって通信接続する機器が設定された場合には、情報処理手段１８０はＳ１１４「ダイヤルアップ機器選択」にて利用者が選択したダイヤルアップ機器（本実施例では携帯電話○×）を特定して、ダイヤルアップ用通信接続機器のデバイスアドレスを不揮発性メモリ１８２等の記録手段から読み出す処理を行う。
【０１０７】
またＳ１１０の判断にて、携帯電話４０から受信したサービスリストにダイヤルアップ接続のモードが含まれていると判断した場合には、情報処理手段１８０が実施する処理はＳ１１６「名刺送信元アドレスの機器をダイヤルアップ接続機器に選択」に進み、Ｓ１０６にて不揮発性メモリ１８２等の記録手段に記録したダイヤルアップ用通信接続機器のデバイスアドレスを読み出す処理を行う。
【０１０８】
次に情報処理手段１８０は、Ｓ１１４又はＳ１１６にて読み出したデバイスアドレスを有する通信接続機器を指定して、当該ダイヤルアップ用通信接続機器のデバイスアドレスに対して「ダイヤルアップ要求」を送信する。前記「ダイヤルアップ要求」を受信した携帯電話４０の情報処理手段４８０は、電子カメラ１０とダイヤルアップ用の通信接続を開始する準備を行う。携帯電話４０にて当該ダイヤルアップ用の準備が完了すると、情報処理手段４８０は電子カメラ１０に対して「ダイヤルアップＯＫ」の情報を送信する。
【０１０９】
前記「ダイヤルアップＯＫ」の情報を受信した電子カメラ１０の情報処理手段１８０は、携帯電話４０に対してダイヤルアップ発呼指令とダイヤルアップ先の電話番号（又は予め携帯電話４０、電子カメラ１０又はパソコン等で設定されているデフォルトの電話番号）に関する情報を含む「ダイヤルアップ発呼要求」を送信する。
【０１１０】
前記「ダイヤルアップ発呼要求」を受信した携帯電話４０の情報処理手段４８０は、送受信手段４５３を介して、指定された電話番号のアクセスポイントのサーバ９０に対して発呼する情報を出力する。前記「発呼」の情報に基づいて、アクセスポイントのサーバ９０と携帯電話４０との間で通信接続が確立されると、携帯電話４０の情報処理手段４８０はその通信接続が開始された旨の情報を送受信手段４５７を介して電子カメラ１０に送信する。
【０１１１】
そして、電子カメラ１０から特殊な中断信号を受信した場合、又はサーバ９０との通信が途絶えた場合等を除いて、以降は電子カメラ１０から送受信手段４５７を介して受信した情報（近距離無線の通信フォーマット）をそのまま所定の通信フォーマット（携帯電話回線用の通信フォーマット又はサーバ９０との通信フォーマット）に変換して送受信手段４５３を介してサーバ９０に送信するとともに、サーバ９０から送受信手段４５３を介して受信した所定の通信フォーマットの情報を電子カメラ１０との通信フォーマットに変換する処理を行う。
【０１１２】
このように携帯電話４０及び携帯電話回線４４等が、電子カメラ１０とサーバ９０との間の通信のパイプ役を担うことによって、電子カメラ１０はサーバ９０と直接通信を実施することが可能となるとともに、電子カメラ１０はサーバ９０を介して通信網４８上に接続されている通信機器と情報の送受信を実施することが可能となる。
【０１１３】
電子カメラ１０が携帯電話４０等を介してサーバ９０と通信接続されると、電カメラ１０の情報処理手段１８０が実施する処理はＳ１１８「画像添付メール作成（選択済み画像、記憶したｅ−ｍａｉｌアドレス）」に進み、Ｓ１０２にて利用者が選択した画像をｅ−ｍａｉｌ（電子メール）に添付して、Ｓ１０８にて不揮発性メモリ１８２等の記録手段に記録した所定のｅ−ｍａｉｌアドレスを指定して送信する処理を行う。なお、通信網４８がインターネットの通信網である場合には、電子メール及び添付画像は、ＳＭＴＰ（Simple Mail Transfer Protocol ）メール等の形式でサーバ９０に対して送信する。
【０１１４】
また、電子カメラ１０の情報処理手段１８０は、画像等の添付ファイルに対してＭＩＭＥ６４（Multipourpose Internet Mail Extentions）等のテキストエンコード処理を実施して、送信するｅ−ｍａｉｌに添付するようにしてもよい。なお、通信網４８のＤＮＳ設定やＳＭＴＰメールエンジン等の設定は、デフォルトの電話番号と同様に予め携帯電話４０や利用者のパソコン等で作成して、電子カメラ１０の不揮発性メモリ１８２等の記録手段に記録しておいてもよい。一般にこれらの設定の変更頻度はたいへん少ないので、当該設定を携帯電話４０又は利用者のパソコンにて設定した情報を用いても実用上不便とはならない。
【０１１５】
前記ｅ−ｍａｉｌ及び画像の送信が完了すると、情報処理手段１８０は送受信手段１５７を介して携帯電話４０に対して「ダイヤルアップ切断要求」（特殊な中断信号であってもよい）を送信する。前記「ダイヤルアップ切断要求」を送受信手段４５７を介して受信した携帯電話４０の情報処理手段４８０は、受信した「ダイヤルアップ切断要求」をそのまま携帯電話４０とサーバ９０との間における所定の通信フォーマットに変換してサーバ９０に送信する。また、携帯電話４０の情報処理手段４８０は、受信した「ダイヤルアップ切断要求」を特殊な切断信号に変換して送受信手段４５３を介してサーバ９０に送信するようにしてもよい。
【０１１６】
通信の切断要求信を受信したサーバ９０の情報処理手段は、ダイヤルアップ接続された通信を終了して切断する処理を行う。一方、携帯電話４０の情報処理手段４８０は、ダイヤルアップ接続処理の終了処理を実施して、電子カメラ１０に対して「ダイヤルアップ切断完了」情報を送信する処理を行う。携帯電話４０の情報処理手段４８０が前記「ダイヤルアップ切断完了」情報を電子カメラ１０に対して送信すると、情報処理手段４８０が実施する処理は次のＳ２０８「終了」に進み、ダイヤルアップ接続に関する処理を終了する。
【０１１７】
電子カメラ１０の情報処理手段１８０が携帯電話４０から「ダイヤルアップ接続終了」の情報を受信すると、情報処理手段１８０が実施する処理は次のＳ１２０「別画像送信？」の判断に進み、他に送信すべき画像が存在するか否かの判断を行う。もし、利用者の指示等によって、別に送信すべき画像が存在すると判断した場合には、情報処理手段１８０が実施する処理はＳ１０２に分岐して戻り、再び「送信画像選択」の処理を実施する。
【０１１８】
また、Ｓ１２０の判断にて、送信すべき別の画像が存在しないと判断した場合には、情報処理手段１８０が実施する処理はＳ１２２「終了」に進み、当該画像メール送信の処理を終了する。
【０１１９】
なお、上記の説明ではＳ２０６以降の処理にてサーバ９０又はパソコン８０に対してダイヤルアップ接続を実施する例で説明したが、本発明はダイヤルアップ接続に限定されるものではなく、携帯電話４０（通信接続機器）が直接通信網４８に対して接続可能である場合には、ダイヤルアップ接続を実施せずに、電子カメラ１０が直接ヘッダに宛先情報を記載した送信情報を携帯電話４０を経由して通信網４８上に出力して、サーバ９０やパソコン８０等に送信するようにしてもよい。
【０１２０】
また、上記の説明では、電子カメラ１０が電子メールに画像や音声のファイルを添付してサーバ９０等の通信機器に送信する例で説明したが、本発明は電子メールに限定されるものではなく、電子カメラ１０がテキストファイルやバイナリファイル等の情報を直接サーバ９０等の通信機器に送信するようにしてよい。なお、画像等の送信に際してＨＴＴＰのアップロード機能を使用する場合には、宛先情報として、例えばデフォルトのＵＲＬを用いるようにしてもよい。
【０１２１】
【発明の効果】
以上説明したように本発明に係る情報送信装置によれば、携帯電話、ＰＤＡ、パソコン、モデムアダプタ等の通信接続機器を介してインターネットと接続されている通信機器にダイヤルアップ接続を行って電子メールと画像の添付ファイルとを送信する情報送信装置において、通信接続機器から前記電子メール等の送信先となる通信機器のダイヤルアップ接続用電話番号と通信接続機器の固有のデバイスアドレスとを送受信手段を介して受信し、送受信手段を介して該デバイスアドレスの通信接続機器と自動で通信接続を実施するとともに該通信接続機器を経由して前記電話番号の通信機器に電話をかけてダイヤルアップ接続を実施し、電子メールと画像の添付ファイルを記録手段から読み出して送受信手段を介して通信機器に対して送信するようにしたので、通信相手となる通信接続機器を特定する操作を自動化して、利用者による操作を軽減することが可能となる。
【０１２２】
また他の発明の形態によれば、携帯電話、ＰＤＡ、パソコン、モデムアダプタ等の通信接続機器を介してインターネットと接続されている通信機器にダイヤルアップ接続を行って電子メールと画像の添付ファイルとを送信する情報送信装置において、通信接続機器から通信接続機器の固有のデバイスアドレスを送受信手段を介して受信し、送受信手段を介して該デバイスアドレスの通信接続機器と自動で通信接続を実施するとともに該通信接続機器を経由して当該情報送信装置の電話番号記録手段に記録されている電子メール等の送信先となる通信機器のダイヤルアップ接続用電話番号に電話をかけてダイヤルアップ接続を実施し、電子メールと画像の添付ファイルを記録手段から読み出して送受信手段を介して通信機器に対して送信するようにしたので、通信相手となる通信接続機器を特定する操作を自動化して、利用者による操作を軽減することが可能となる。
【０１２３】
また他の発明の形態によれば、電子メール送信に際して、ダイヤルアップ接続が可能か否かを判断する情報を含むサービスリストを、前記デバイスアドレスの通信接続機器から送受信手段を介して受信し、該サービスリストにダイヤルアップ接続が可能である旨の情報が含まれている場合には、送受信手段を介して該デバイスアドレスの通信接続機器と自動で通信接続を実施するとともに、該デバイスアドレスの通信接続機器を経由して前記電話番号の通信機器に電話をかけてダイヤルアップ接続を実施するようにしたので、通信相手となる通信接続機器を特定する操作を自動化して、利用者による操作を軽減することが可能となる。
【０１２４】
また他の発明の形態によれば、携帯電話、ＰＤＡ、パソコン、モデムアダプタ等の通信接続機器を介してインターネット等の通信網と接続されている通信機器に電子メールや画像、音声、プログラム等の送信情報を送信する情報送信装置において、通信接続機器から前記電子メール等の送信情報の送信先となる通信機器の宛先情報と通信接続機器の固有のデバイスアドレスとを送受信手段を介して受信し、送受信手段を介して該デバイスアドレスの通信接続機器と自動で通信接続を実施するとともに該通信接続機器を経由して前記宛先情報の通信機器に対して通信接続を実施し、送信情報を記録手段から読み出して、送受信手段を介して通信機器に対して送信するようにしたので、通信相手となる通信接続機器を特定する操作を自動化して、利用者による操作を軽減することが可能となる。
【図面の簡単な説明】
【図１】本発明に係る電子カメラを用いた情報送信システムの構成図
【図２】本発明に係る情報送信装置の一形態である電子カメラの外観斜視図
【図３】モード切替ダイヤルに設けられている各種設定モードの表示を示す図
【図４】電子カメラの信号処理系ブロック図
【図５】通信接続機器の一形態である携帯電話の外観図
【図６】携帯電話の信号処理系のブロック図
【図７】本発明に係る情報送信装置を用いた情報送信に関するフローチャート
【図８】情報送信装置の表示手段に表示されるＷｉｒｅｌｅｓｓモードのセットアップ画面の表示例
【図９】携帯電話の表示手段に表示される接続機器選択画面の表示例
【図１０】携帯電話の表示手段に表示される名刺選択画面の表示例
【図１１】携帯電話から情報送信装置が受信して記録している名刺情報の内容例
【図１２】情報送信装置の表示手段に表示されるダイヤルアップのための接続機器選択画面の表示例
【符号の説明】
１０…電子カメラ、４０…携帯電話、４２…基地局、４４…携帯電話回線、４８…通信網、８０…パソコン、９０…サーバ、１００…レンズ鏡胴、１０５…電源スイッチ、１０６…レリーズボタン、１０７…モード切替ダイヤル、１０９…取消ボタン、１１０…実行ボタン、１１１…メニューボタン、１１３…十字ボタン、１５０…撮像手段、１５３…画像処理手段、１５４…Ａ／Ｄ変換器、１５６…アンテナ、１５７…送受信手段、１６２…通信コネクタ、１６７…圧縮伸張手段、１６８…表示手段、１６９…ＯＳＤ、１７０…信号処理手段、１７１…フレームメモリ、１７２…Ｄ／Ａ変換器、１７４…入力手段、１７５…Ｉ／Ｏ、１７７…記録媒体、１７８…記録媒体装着部、１７９…記録媒体インターフェース、１８０…情報処理手段、１８２…不揮発性メモリ、１８４…ＲＡＭ、１９０…カレンダ時計、１９０Ａ…タイマ、１９１…電源、１９１Ａ…電池、１９３…発光手段、１９４…発光制御手段、１９９…バス、４５２…アンテナ、４５３…送受信手段、４５４…送受信バッファ、４５６…アンテナ、４５７…送受信手段、４５８…送受信バッファ、４６８…表示手段、４６９…表示制御手段、４７４…入力手段、４７５…Ｉ／Ｏ、４７７…記録媒体、４７８…記録媒体装着部、４７９…記録媒体インターフェース、４８０…情報処理手段、４８２…不揮発性メモリ、４８４…メモリ、４９０…カレンダ時計、４９１…電源、４９５…スピーカ、４９６…Ｄ／Ａ変換器、４９７…マイク、４９８…Ａ／Ｄ変換器、バス…４９９
【図１】
0003978536.tif 000002
【図２】
0003978536.tif 000003
【図３】
0003978536.tif 000004
【図４】
0003978536.tif 000005
【図５】
0003978536.tif 000006
【図６】
0003978536.tif 000007
【図７】
0003978536.tif 000008
【図８】
0003978536.tif 000009
【図９】
0003978536.tif 000010
【図１０】
0003978536.tif 000011
【図１１】
0003978536.tif 000012
【図１２】
0003978536.tif 000013